(57)【要約】【課題】操作感を向上することができる扉の開閉機構を提供する。【解決手段】前後方向に並べて配置されると共に左右方向に移動可能な複数の扉を連動して開閉させる扉の開閉機構１０であって、複数の扉のうち後側扉Ｄ４０と、複数の扉のうち当該後側扉Ｄ４０と隣接する前側扉Ｄ５０とを連動させる際の衝撃を、反発力によって和らげる磁石を具備し、磁石には、後側扉Ｄ４０に設けられる第一の磁石１１と、前側扉Ｄ５０に設けられると共に、第一の磁石１１と接近した際に第一の磁石１１に対して反発する第二の磁石１２と、が含まれる。【選択図】図４
2016216996.tif 000002
【特許請求の範囲】
【請求項１】
厚さ方向に並べて配置されると共に幅方向に移動可能な複数の扉を連動して開閉させる扉の開閉機構であって、
前記複数の扉のうち第一の扉と、前記複数の扉のうち当該第一の扉と隣接する第二の扉とを連動させる際の衝撃を、反発力によって和らげる磁石を具備する、
扉の開閉機構。
【請求項２】
前記磁石には、
前記第一の扉に設けられる第一の磁石と、
前記第二の扉に設けられると共に、前記第一の磁石と接近した際に前記第一の磁石に対して反発する第二の磁石と、
が含まれる、
請求項１に記載の扉の開閉機構。
【請求項３】
前記第一の磁石は、
前記第二の磁石に対して、前記幅方向の一側方及び他側方にそれぞれ配置される、
請求項２に記載の扉の開閉機構。
【請求項４】
前記複数の扉のうち、前記厚さ方向において最も端に配置される第三の扉の開閉を規制するときの衝撃を、反発力によって和らげる第三の磁石及び第四の磁石をさらに具備し、
前記第三の磁石は、
前記第三の扉に設けられ、
前記第四の磁石は、
建屋側の部材に設けられると共に、前記第三の磁石が接近した際に前記第三の磁石に対して反発する、
請求項１から請求項３までのいずれか一項に記載の扉の開閉機構。
【請求項５】
前記第四の磁石は、
前記第三の磁石に対して、前記幅方向の一側方及び他側方にそれぞれ配置される、
請求項４に記載の扉の開閉機構。
【請求項６】
前記複数の扉の全閉状態を保持する全閉保持部材をさらに具備する、
請求項１から請求項５までのいずれか一項に記載の扉の開閉機構。
【請求項７】
前記複数の扉の全開状態を保持する全開保持部材をさらに具備する、
請求項１から請求項６までのいずれか一項に記載の扉の開閉機構。
【発明の詳細な説明】
【技術分野】
【０００１】
本発明は、厚さ方向に並べて配置されると共に幅方向に移動可能な複数の扉を連動して開閉させる扉の開閉機構の技術に関する。
【背景技術】
【０００２】
従来、厚さ方向に並べて配置されると共に幅方向に移動可能な複数の扉（引き戸や吊り戸の扉等）を連動して開閉させる扉の開閉機構が公知となっている。例えば、特許文献１に記載の如くである。
【０００３】
特許文献１に記載の連引き戸には、一枚目の扉（戸）及び二枚目の扉に引っ掛け部が設けられる。引っ掛け部は、扉を閉めるときに互いに当接可能となるように配置される。また、一枚目の扉には、扉を開けるときに二枚目の扉の端部と当接可能となるように配置される戸当たり部が設けられる。引っ掛け部及び戸当たり部には、軟質材が設けられる。これによって、前記連引き戸は、引っ掛け部同士が当接したときの衝撃音及び戸当たり部と二枚目の扉とが当接したときの衝撃音を低減している。
【０００４】
しかしながら、引っ掛け部及び戸当たり部に軟質材を設けるだけでは、扉を開閉する際の衝撃を十分に和らげることができず、操作感を十分に向上することができなかった。
【先行技術文献】
【特許文献】
【０００５】
【特許文献１】特開平１０−１０２９１４号公報
【発明の概要】
【発明が解決しようとする課題】
【０００６】
本発明は、以上の如き状況を鑑みてなされたものであり、操作感を向上することができる扉の開閉機構を提供するものである。
【課題を解決するための手段】
【０００７】
本発明の解決しようとする課題は以上の如くであり、次にこの課題を解決するための手段を説明する。
【０００８】
即ち、請求項１においては、厚さ方向に並べて配置されると共に幅方向に移動可能な複数の扉を連動して開閉させる扉の開閉機構であって、前記複数の扉のうち第一の扉と、前記複数の扉のうち当該第一の扉と隣接する第二の扉とを連動させる際の衝撃を、反発力によって和らげる磁石を具備するものである。
【０００９】
請求項２においては、前記磁石には、前記第一の扉に設けられる第一の磁石と、前記第二の扉に設けられると共に、前記第一の磁石と接近した際に前記第一の磁石に対して反発する第二の磁石と、が含まれるものである。
【００１０】
請求項３においては、前記第一の磁石は、前記第二の磁石に対して、前記幅方向の一側方及び他側方にそれぞれ配置されるものである。
【００１１】
請求項４においては、前記複数の扉のうち、前記厚さ方向において最も端に配置される第三の扉の開閉を規制するときの衝撃を、反発力によって和らげる第三の磁石及び第四の磁石をさらに具備し、前記第三の磁石は、前記第三の扉に設けられ、前記第四の磁石は、建屋側の部材に設けられると共に、前記第三の磁石が接近した際に前記第三の磁石に対して反発するものである。
【００１２】
請求項５においては、前記第四の磁石は、前記第三の磁石に対して、前記幅方向の一側方及び他側方にそれぞれ配置されるものである。
【００１３】
請求項６においては、前記複数の扉の全閉状態を保持する全閉保持部材をさらに具備するものである。
【００１４】
請求項７においては、前記複数の扉の全開状態を保持する全開保持部材をさらに具備するものである。
【発明の効果】
【００１５】
本発明の効果として、以下に示すような効果を奏する。
【００１６】
請求項１においては、操作感を向上することができる。
【００１７】
請求項２においては、操作感を向上することができる。
【００１８】
請求項３においては、操作感を向上することができる。
【００１９】
請求項４においては、操作感を向上することができる。
【００２０】
請求項５においては、操作感を向上することができる。
【００２１】
請求項６においては、磁石の反発力に抗して全閉状態を保持することができる。
【００２２】
請求項７においては、磁石の反発力に抗して全開状態を保持することができる。
【図面の簡単な説明】
【００２３】
【図１】（ａ）本発明の一実施形態に係る扉を示した背面模式図。（ｂ）同じく平面模式図。
【図２】左側キャッチの拡大平面模式図。
【図３】（ａ）全閉状態の引き戸を開き始めた状態を示した平面模式図。（ｂ）左側の第一の磁石と第二の磁石とが反発する状態を示した平面模式図。
【図４】（ａ）左側の第一の磁石と第二の磁石との反発力が増大する状態を示した平面模式図。（ｂ）後側扉と前側扉とが連動して開く状態を示した平面模式図。
【図５】（ａ）第三の磁石と右側の第四の磁石とが反発する状態を示した平面模式図。（ｂ）全開状態を示した平面模式図。
【図６】（ａ）全開状態の引き戸を閉じ始めた状態を示した平面模式図。（ｂ）右側の第一の磁石と第二の磁石とが反発する状態を示した平面模式図。
【図７】（ａ）右側の第一の磁石と第二の磁石との反発力が増大する状態を示した平面模式図。（ｂ）後側扉と前側扉とが連動して閉じる状態を示した平面模式図。
【図８】（ａ）第三の磁石と左側の第四の磁石とが反発する状態を示した平面模式図。（ｂ）全閉状態を示した平面模式図。
【図９】（ａ）第一変形例に係る第一の磁石及び第二の磁石を示した平面模式図。（ｂ）第二変形例に係る第三の磁石及び第四の磁石を示した平面模式図。
【発明を実施するための形態】
【００２４】
以下の説明においては、図中に記した矢印に従って、上下方向、左右方向及び前後方向をそれぞれ定義する。
【００２５】
以下では、本発明の一実施形態に係る扉の開閉機構１０（以下、単に「開閉機構１０」と称する）について説明する。
【００２６】
まず、本実施形態に係る開閉機構１０の適用対象である引き戸Ｄ３０が設けられる出入口Ｄについて簡単に説明する。
【００２７】
図１に示す出入口Ｄは、建屋の内部に設けられる。図１に示すように、出入口Ｄには、袖壁Ｄ１０、縦枠Ｄ２０及び引き戸Ｄ３０等が設けられる。
【００２８】
袖壁Ｄ１０は、その壁面を前後方向に向けて配置される壁状の部材である。袖壁Ｄ１０は、右端部が前記建屋の右壁部Ｗ１に接続され、右壁部Ｗ１から左方向に突出する。
【００２９】
縦枠Ｄ２０は、その板面を左右方向に向けて配置される略板状の部材である。縦枠Ｄ２０は、左面が前記建屋の左壁部Ｗ２に接続され、袖壁Ｄ１０の左方に配置される。縦枠Ｄ２０の前後方向幅は、袖壁Ｄ１０の前後方向幅よりも長くなるように形成される。縦枠Ｄ２０の右面における後部には、縦枠Ｄ２０を上下方向に切り欠いたような凹部Ｄ２１（図２参照）が形成される。このような縦枠Ｄ２０、袖壁Ｄ１０及び図示せぬ上枠等によって出入口Ｄが構成される。
【００３０】
引き戸Ｄ３０は、出入口Ｄを開閉するためのものである。引き戸Ｄ３０は、後側扉Ｄ４０及び前側扉Ｄ５０等を具備する。なお、以下では、引き戸Ｄ３０が図１に示すような全閉状態（出入口Ｄを塞いだ状態）であるものとして引き戸Ｄ３０の構成を説明する。
【００３１】
後側扉Ｄ４０は、その板面を前後方向に向けて配置される略板状の部材である。後側扉Ｄ４０の左端部は、縦枠Ｄ２０の凹部Ｄ２１の内側に配置される（図２参照）。後側扉Ｄ４０の後面Ｄ４１及び前面Ｄ４２には、引き戸Ｄ３０を開閉するときに利用者が操作するための引き手Ｄ４３が取り付けられる。後側扉Ｄ４０は、図示せぬレール及び当該レールを摺動する摺動部材によって左右方向に移動可能（開閉可能）に構成される。
【００３２】
前側扉Ｄ５０は、その板面を前後方向に向けて配置される略板状の部材である。前側扉Ｄ５０は、後側扉Ｄ４０の右前方に配置される。また、前側扉Ｄ５０は、袖壁Ｄ１０の左後方に配置される。前側扉Ｄ５０の左部は、後側扉Ｄ４０の右部と重なる位置に配置される。前側扉Ｄ５０の右部は、袖壁Ｄ１０の左部と重なる位置に配置される。前側扉Ｄ５０は、引き戸Ｄ３０を開閉するときに図示せぬレール及び当該レールを摺動する摺動部材によって左右方向に移動可能に構成される。
【００３３】
開閉機構１０は、このような引き戸Ｄ３０の後側扉Ｄ４０及び前側扉Ｄ５０を開閉させるためのものである。開閉機構１０は、第一の磁石１１、第二の磁石１２、第三の磁石１３、第四の磁石１４、左側キャッチ１５及び右側キャッチ１６を具備する。なお、以下では、引き戸Ｄ３０が図１に示す全閉状態であるものとして開閉機構１０の構成を説明する。
【００３４】
第一の磁石１１は、後側扉Ｄ４０の前面Ｄ４２に取り付けられる略直方体状の磁石である。第一の磁石１１は、前面Ｄ４２の左端部及び右端部にそれぞれ取り付けられ、後側扉Ｄ４０から前方向（前側扉Ｄ５０側）に突出するように設けられる。左右の第一の磁石１１は、後側扉Ｄ４０の上下中途部に、上下方向に間隔を空けて二つずつ取り付けられる。すなわち、第一の磁石１１は、後側扉Ｄ４０に合計四つ設けられる。
このような第一の磁石１１は、Ｎ極を左方向に向けて配置されると共にＳ極を右方向に向けて配置される。なお、図１から図９においては、説明の便宜上、Ｎ極を黒塗りで示すと共にＳ極を白塗りで示している。
【００３５】
第二の磁石１２は、第一の磁石１１と略同一の形状に形成される磁石である。第二の磁石１２は、前側扉Ｄ５０の後面Ｄ５１における左端部（右側の第一の磁石１１と前後方向に対向する部分よりも左方）に取り付けられ、前側扉Ｄ５０から後方向（後側扉Ｄ４０側）に突出するように設けられる。第二の磁石１２は、前側扉Ｄ５０の上下中途部に、上下方向に間隔を空けて二つ取り付けられ、第一の磁石１１と同じ高さに配置される。これにより、第二の磁石１２は、平面視で第一の磁石１１の間に配置されると共に、後側扉Ｄ４０と前側扉Ｄ５０とが左右方向に相対移動したときに第一の磁石１１と当接可能に構成される。全閉状態において、第二の磁石１２は、右側の第一の磁石１１と接近する。
このような第二の磁石１２は、Ｎ極を右方向に向けて配置されると共にＳ極を左方向に向けて配置される。すなわち、第二の磁石１２は、第一の磁石１１の磁極に対して同極を向けて左右方向に対向する。
【００３６】
第三の磁石１３は、第一の磁石１１と略同一の形状に形成される磁石である。第三の磁石１３は、前側扉Ｄ５０の前面Ｄ５２の右端部に取り付けられ、前側扉Ｄ５０から前方向（袖壁Ｄ１０側）に突出するように設けられる。第三の磁石１３は、前側扉Ｄ５０の上下中途部に、上下方向に間隔を空けて二つ取り付けられる。
このような第三の磁石１３は、Ｎ極を右方向に向けて配置されると共にＳ極を左方向に向けて配置される。
【００３７】
第四の磁石１４は、第一の磁石１１と略同一の形状に形成される磁石である。第四の磁石１４は、袖壁Ｄ１０の後面Ｄ１１における左端部（第三の磁石１３と前後方向に対向する部分よりも左方）及び右端部に取り付けられ、袖壁Ｄ１０から後方向（前側扉Ｄ５０側）に突出するように設けられる。左右の第四の磁石１４は、前側扉Ｄ５０の上下中途部に、上下方向に間隔を空けてそれぞれ二つ取り付けられ、第三の磁石１３と同じ高さに配置される。すなわち、第四の磁石１４は、袖壁Ｄ１０に合計四つ設けられる。第四の磁石１４は、平面視で第三の磁石１３の左方及び右方にそれぞれ配置されると共に、後側扉Ｄ４０と前側扉Ｄ５０とが左右方向に相対移動したときに第三の磁石１３と当接可能に構成される。全閉状態において、左側の第四の磁石１４は、第三の磁石１３と接近する。
このような第四の磁石１４は、Ｎ極を左方向に向けて配置されると共にＳ極を右方向に向けて配置される。すなわち、第四の磁石１４は、第三の磁石１３の磁極に対して同極を向けて左右方向に対向する。
【００３８】
左側キャッチ１５は、引き戸Ｄ３０の全閉状態を保持するためのものである。図２に示すように、左側キャッチ１５は、突出部材１５ａ及び受け部材１５ｂを具備する。
【００３９】
突出部材１５ａは、後側扉Ｄ４０の左面における下部に取り付けられる。突出部材１５ａは、後側扉Ｄ４０から左方向に突出するように形成される。突出部材１５ａは、上下方向に延びる略円柱状に形成される。
【００４０】
受け部材１５ｂは、縦枠Ｄ２０の凹部Ｄ２１の下部（突出部材１５ａと同じ高さ）に取り付けられ、突出部材１５ａの左方に配置される。受け部材１５ｂは、凹部Ｄ２１から右方向に突出するように形成される。受け部材１５ｂの右端部は、突出部材１５ａの左端部と係合可能な平面視略Ｃ字状に形成される。受け部材１５ｂの右端部は、凹部Ｄ２１の内側に配置される。
【００４１】
このように構成される左側キャッチ１５は、後側扉Ｄ４０が左方向に移動された（閉じられた）ときに、突出部材１５ａが受け部材１５ｂと当接する。これにより、左側キャッチ１５は、後側扉Ｄ４０の左方向への移動（閉じる動作）を規制する。
このとき、突出部材１５ａ及び受け部材１５ｂは、互いに係合し、後側扉Ｄ４０の右方向への移動を規制する。これによって、左側キャッチ１５は、全閉状態を保持する。
【００４２】
右側キャッチ１６は、引き戸Ｄ３０の全開状態（出入口Ｄを開放した状態、図５（ｂ）参照）を保持するためのものである。図１に示すように、右側キャッチ１６は、左側キャッチ１５の右方に配置される。右側キャッチ１６は、突出部材１６ａ及び受け部材１６ｂを具備する。
【００４３】
突出部材１６ａは、後側扉Ｄ４０の右面における下部に取り付けられる。突出部材１６ａは、後側扉Ｄ４０から右方向に突出するように形成される。突出部材１６ａの右端部は、他の部分よりも大きな平面視略Ｃ字状に形成される。
【００４４】
受け部材１６ｂは、右壁部Ｗ１の下部（右側キャッチ１６の突出部材１６ａと同じ高さ）に取り付けられ、突出部材１６ａの右方に配置される。受け部材１６ｂは、右壁部Ｗ１から左方向に突出するように形成される。受け部材１６ｂは、突出部材１６ａの右端部と係合可能な上下方向に延びる略円柱状に形成される。
【００４５】
このように構成される右側キャッチ１６は、後側扉Ｄ４０が右方向に移動された（開かれた）ときに、突出部材１６ａが受け部材１６ｂと当接する。これにより、右側キャッチ１６は、後側扉Ｄ４０の右方向への移動（開く動作）を規制する。
このとき、突出部材１６ａ及び受け部材１６ｂは、互いに係合し、後側扉Ｄ４０の左方向への移動を規制する。これによって、右側キャッチ１６は、全開状態を保持する。
【００４６】
次に、引き戸Ｄ３０を開ける際の動作について説明する。
【００４７】
なお、引き戸Ｄ３０を開ける前の状態において、引き戸Ｄ３０は、全閉状態であるものとする。
【００４８】
図１及び図３（ａ）に示すように、引き戸Ｄ３０を開けるとき、後側扉Ｄ４０は、右方向に移動される。これによって、左側キャッチ１５の突出部材１５ａと受け部材１５ｂとの係合状態が解除される。このとき、後側扉Ｄ４０は、前側扉Ｄ５０に対して相対的に開かれる（後側扉Ｄ４０だけが開かれる）。後側扉Ｄ４０に取り付けられる左側の第一の磁石１１は、前側扉Ｄ５０に取り付けられる第二の磁石１２に接近する。
【００４９】
左側の第一の磁石１１及び第二の磁石１２の磁極は、互いに同極を向けて配置されている。このため、図３（ｂ）に示すように、後側扉Ｄ４０の左半部が前側扉Ｄ５０の左端部と正面視で重なる程度まで後側扉Ｄ４０が開かれて、左側の第一の磁石１１が第二の磁石１２にある程度接近すると、左側の第一の磁石１１と第二の磁石１２とが（Ｓ極同士が）互いに反発しあう。これにより、後側扉Ｄ４０には、左方向（閉じる方向）の力が作用する。また、前側扉Ｄ５０には、右方向（開く方向）の力が作用する。
【００５０】
このような状態からさらに後側扉Ｄ４０が開かれると、図４（ａ）に示すように、左側の第一の磁石１１と第二の磁石１２との磁極間の距離が短くなり、左側の第一の磁石１１と第二の磁石１２との反発力は大きくなる。前側扉Ｄ５０は、このような反発力によって、右方向への強い力が作用して開かれる。これにより、図４（ｂ）に示すように、開閉機構１０は、左側の第一の磁石１１と第二の磁石１２とを当接させることなく、前側扉Ｄ５０を後側扉Ｄ４０と共に開く（後側扉Ｄ４０と前側扉Ｄ５０とを連動させる）ことができる。
【００５１】
これによれば、開閉機構１０は、左側の第一の磁石１１と第二の磁石１２との当接によって生じる衝撃を発生させることなく、後側扉Ｄ４０及び前側扉Ｄ５０を開くことができる。また、仮に、左側の第一の磁石１１と第二の磁石１２とが当接した場合でも、開閉機構１０は、後側扉Ｄ４０に左方向への強い力が作用すると共に前側扉Ｄ５０に右方向への強い力が作用している（互いに離間しようとしている）ため、当接によって生じる衝撃を弱めることができる。このため、開閉機構１０は、連動時の衝撃を十分に和らげることができる。
また、開閉機構１０は、左側の第一の磁石１１と第二の磁石１２の反発力が徐々に大きくなるため、後側扉Ｄ４０及び前側扉Ｄ５０を滑らかに開くことができる。
【００５２】
後側扉Ｄ４０及び前側扉Ｄ５０が開かれるとき、前側扉Ｄ５０に取り付けられる第三の磁石１３は、袖壁Ｄ１０に取り付けられる右側の第四の磁石１４に接近する。第三の磁石１３及び右側の第四の磁石１４の磁極は、互いに同極を向けて配置されている。このため、図５（ａ）に示すように、前側扉Ｄ５０の左半部が袖壁Ｄ１０の左端部と正面視で重なる程度まで前側扉Ｄ５０が開かれて、第三の磁石１３が右側の第四の磁石１４にある程度接近すると、第三の磁石１３と右側の第四の磁石１４とが（Ｎ極同士が）互いに反発しあう。これにより、前側扉Ｄ５０には、左方向（閉じる方向）の力が作用する。
【００５３】
このような状態からさらに前側扉Ｄ５０が開かれると、図５（ｂ）に示すように、第三の磁石１３と右側の第四の磁石１４との磁極間の距離が短くなり、第三の磁石１３と右側の第四の磁石１４との反発力は大きくなる。このとき、右側キャッチ１６の突出部材１６ａは、受け部材１６ｂと当接する。これにより、右側キャッチ１６は、後側扉Ｄ４０及び前側扉Ｄ５０を開く動作（右方向への移動）を規制する。
また、右側キャッチ１６は、突出部材１６ａと受け部材１６ｂとを係合させて引き戸Ｄ３０の全開状態を保持する。
【００５４】
これによれば、開閉機構１０は、開く動作を規制する際に前側扉Ｄ５０に対して左方向に強い力を作用させることができる。これにより、開閉機構１０は、右側キャッチ１６の突出部材１６ａが受け部材１６ｂに勢いよく当接することを防止することができる。このため、開閉機構１０は、規制時の衝撃を十分に和らげることができる。
また、開閉機構１０は、第三の磁石１３と右側の第四の磁石１４の反発力が徐々に大きくなるため、開く動作を滑らかに規制することができる。
【００５５】
次に、引き戸Ｄ３０を閉じる際の動作について説明する。
【００５６】
なお、引き戸Ｄ３０を閉じる前の状態において、引き戸Ｄ３０は、図５（ｂ）に示す全開状態であるものとする。
【００５７】
図５（ｂ）及び図６（ａ）に示すように、引き戸Ｄ３０を閉じるとき、後側扉Ｄ４０は、左方向に移動される。これによって、右側キャッチ１６の突出部材１６ａと受け部材１６ｂとの係合状態が解除される。このとき、後側扉Ｄ４０だけが閉じられて、後側扉Ｄ４０に取り付けられる右側の第一の磁石１１は、前側扉Ｄ５０に取り付けられる第二の磁石１２に接近する。
【００５８】
右側の第一の磁石１１及び第二の磁石１２の磁極は、互いに同極を向けて配置されている。このため、図６（ｂ）に示すように、後側扉Ｄ４０の右半部が前側扉Ｄ５０の左端部と正面視で重なる程度まで後側扉Ｄ４０が閉じられて、右側の第一の磁石１１が第二の磁石１２にある程度接近すると、右側の第一の磁石１１と第二の磁石１２とが（Ｎ極同士が）互いに反発しあう。これにより、後側扉Ｄ４０には、右方向（開く方向）の力が作用する。また、前側扉Ｄ５０には、左方向（閉じる方向）の力が作用する。
【００５９】
このような状態からさらに後側扉Ｄ４０が閉じられると、図７（ａ）に示すように、右側の第一の磁石１１と第二の磁石１２との磁極間の距離が短くなり、右側の第一の磁石１１と第二の磁石１２との反発力は大きくなる。前側扉Ｄ５０は、このような反発力によって開かれる。これにより、図７（ｂ）に示すように、開閉機構１０は、右側の第一の磁石１１と第二の磁石１２とを当接させることなく、前側扉Ｄ５０を後側扉Ｄ４０と共に閉じる（後側扉Ｄ４０と前側扉Ｄ５０とを連動させる）ことができる。
【００６０】
これによれば、開閉機構１０は、右側の第一の磁石１１と第二の磁石１２との当接によって生じる衝撃を発生させることなく、後側扉Ｄ４０及び前側扉Ｄ５０を閉じることができる。また、仮に、右側の第一の磁石１１と第二の磁石１２とが当接した場合でも、開閉機構１０は、後側扉Ｄ４０及び前側扉Ｄ５０に互いに離間する方向の力が作用しているため、当接によって生じる衝撃を弱めることができる。このため、開閉機構１０は、連動時の衝撃を十分に和らげることができる。
また、開閉機構１０は、右側の第一の磁石１１と第二の磁石１２の反発力が徐々に大きくなるため、後側扉Ｄ４０及び前側扉Ｄ５０を滑らかに閉じることができる。
【００６１】
後側扉Ｄ４０及び前側扉Ｄ５０が閉じられるとき、前側扉Ｄ５０に取り付けられる第三の磁石１３は、袖壁Ｄ１０に取り付けられる左側の第四の磁石１４に接近する。第三の磁石１３及び左側の第四の磁石１４の磁極は、互いに同極を向けて配置されている。このため、図８（ａ）に示すように、前側扉Ｄ５０の右部が袖壁Ｄ１０の左端部と正面視で重なる程度まで前側扉Ｄ５０が開かれて、第三の磁石１３が左側の第四の磁石１４にある程度接近すると、第三の磁石１３と左側の第四の磁石１４とが（Ｓ極同士が）互いに反発しあう。これにより、前側扉Ｄ５０には、右方向（開く方向）の力が作用する。
【００６２】
このような状態からさらに前側扉Ｄ５０が閉じられると、図８（ｂ）に示すように、第三の磁石１３と左側の第四の磁石１４との磁極間の距離が短くなり、第三の磁石１３と左側の第四の磁石１４との反発力は大きくなる。このとき、左側キャッチ１５の突出部材１５ａは、受け部材１５ｂと当接する。これにより、左側キャッチ１５は、後側扉Ｄ４０及び前側扉Ｄ５０を閉じる動作（左方向への移動）を規制する。
また、左側キャッチ１５は、突出部材１５ａと受け部材１５ｂとを係合させて引き戸Ｄ３０の全閉状態を保持する。
【００６３】
これによれば、開閉機構１０は、閉じる動作を規制する際に前側扉Ｄ５０に対して右方向に強い力を作用させることができる。これにより、開閉機構１０は、左側キャッチ１５の突出部材１５ａが受け部材１５ｂに勢いよく当接することを防止することができる。このため、開閉機構１０は、規制時の衝撃を十分に和らげることができる。
また、開閉機構１０は、第三の磁石１３と左側の第四の磁石１４の反発力が徐々に大きくなるため、閉じる動作を滑らかに規制することができる。
【００６４】
以上のように、第一の磁石１１及び第二の磁石１２は、後側扉Ｄ４０と前側扉Ｄ５０とを連動させる際の衝撃を和らげつつ、後側扉Ｄ４０及び前側扉Ｄ５０を滑らかに開閉させることができる。これによって、第一の磁石１１及び第二の磁石１２は、後側扉Ｄ４０及び前側扉Ｄ５０を開閉するときの操作感を向上することができる。
【００６５】
また、第三の磁石１３及び第四の磁石１４は、開閉動作を規制するときに生じる衝撃を和らげつつ、開閉動作を滑らかに規制することができる。これによって、第三の磁石１３及び第四の磁石１４は、開閉動作を規制するときの操作感を向上することができる。
【００６６】
また、左側キャッチ１５は、全閉状態において、右側の第一の磁石１１と第二の磁石１２との間、及び第三の磁石１３と左側の第四の磁石１４との間に反発力が発生していても、前記反発力の影響で後側扉Ｄ４０及び前側扉Ｄ５０が僅かに開かれてしまうことを防止できる。
【００６７】
また、右側キャッチ１６は、全開状態において、左側の第一の磁石１１と第二の磁石１２との間、及び第三の磁石１３と右側の第四の磁石１４との間に反発力が発生していても、前記反発力の影響で後側扉Ｄ４０及び前側扉Ｄ５０が僅かに閉じられてしまうことを防止できる。
【００６８】
以上の如く、本実施形態に係る開閉機構１０は、前後方向（厚さ方向）に並べて配置されると共に左右方向（幅方向）に移動可能な複数の扉を連動して開閉させる扉の開閉機構１０であって、前記複数の扉のうち後側扉Ｄ４０（第一の扉）と、前記複数の扉のうち当該後側扉Ｄ４０と隣接する前側扉Ｄ５０（第二の扉）とを連動させる際の衝撃を、反発力によって和らげる磁石を具備するものである。
【００６９】
このように構成することにより、操作感を向上することができる。
【００７０】
また、前記磁石には、前記後側扉Ｄ４０に設けられる第一の磁石１１と、前記前側扉Ｄ５０に設けられると共に、前記第一の磁石１１と接近した際に前記第一の磁石１１に対して反発する第二の磁石１２と、が含まれるものである。
【００７１】
このように構成することにより、操作感を向上することができる。
【００７２】
また、前記第一の磁石１１は、前記第二の磁石１２に対して、左方及び右方（前記幅方向の一側方及び他側方）にそれぞれ配置されるものである。
【００７３】
このように構成することにより、操作感を向上することができる。
【００７４】
また、前記複数の扉のうち、前記厚さ方向において最も端に配置される前側扉Ｄ５０（第三の扉）の開閉を規制するときの衝撃を、反発力によって和らげる第三の磁石１３及び第四の磁石１４をさらに具備し、前記第三の磁石１３は、前記前側扉Ｄ５０に設けられ、前記第四の磁石１４は、袖壁Ｄ１０（建屋側の部材）に設けられると共に、前記第三の磁石１３が接近した際に前記第三の磁石１３に対して反発するものである。
【００７５】
このように構成することにより、操作感を向上することができる。
【００７６】
また、前記第四の磁石１４は、前記第三の磁石１３に対して、左方及び右方（前記幅方向の一側方及び他側方）にそれぞれ配置されるものである。
【００７７】
このように構成することにより、操作感を向上することができる。
【００７８】
また、前記複数の扉の全閉状態を保持する左側キャッチ１５（全閉保持部材）をさらに具備するものである。
【００７９】
このように構成することにより、磁石の反発力（右側の第一の磁石１１と第二の磁石１２との反発力、及び第三の磁石１３と左側の第四の磁石１４との反発力）に抗して全閉状態を保持することができる。
【００８０】
また、前記複数の扉の全開状態を保持する右側キャッチ１６（全開保持部材）をさらに具備するものである。
【００８１】
このように構成することにより、磁石の反発力（左側の第一の磁石１１と第二の磁石１２との反発力、及び第三の磁石１３と右側の第四の磁石１４との反発力）に抗して全開状態を保持することができる。
【００８２】
なお、本実施形態に係る後側扉Ｄ４０は、本発明に係る第一の扉の実施の一形態である。
また、本実施形態に係る前側扉Ｄ５０は、本発明に係る第二の扉及び第三の扉の実施の一形態である。
また、本実施形態に係る袖壁Ｄ１０は、本発明に係る建屋側の部材の実施の一形態である。
また、本実施形態に係る左側キャッチ１５は、本発明に係る全閉保持部材の実施の一形態である。
また、本実施形態に係る右側キャッチ１６は、本発明に係る全開保持部材の実施の一形態である。
また、本実施形態における前後方向は、本発明に係る厚さ方向に対応する。
また、本実施形態における左右方向は、本発明に係る幅方向に対応する。
【００８３】
なお、上記実施形態においては、説明の便宜上、出入口Ｄ（袖壁Ｄ１０等）や引き戸Ｄ３０（後側扉Ｄ４０、前側扉Ｄ５０等）の形状（上下方向、左右方向、前後方向の寸法等）を模式的に図示しており、実際には取り付けられる建屋等に応じてその形状を適宜変更することが可能である。
【００８４】
以上、本発明の実施形態を説明したが、本発明は上記構成に限定されるものではなく、特許請求の範囲に記載された発明の範囲内で種々の変更が可能である。
【００８５】
例えば、本実施形態に係る開閉機構１０は、引き戸Ｄ３０に設けられるものとしたが、本発明に係る開閉機構１０の適用対象はこれに限定されるものでなく、吊り戸等であっても良い。また、本発明に係る開閉機構の適用対象は、出入口に限定されるものでない。
【００８６】
また、本実施形態に係る開閉機構１０は、二枚の扉（後側扉Ｄ４０及び前側扉Ｄ５０）を開閉するものとしたが、本発明に係る開閉機構が開閉する扉の枚数はこれに限定されるものでなく、三枚以上であっても良い。
【００８７】
また、本実施形態に係る第一の磁石１１は、後側扉Ｄ４０に上下方向に間隔を空けて二つ設けられる（後側扉Ｄ４０に合計四つ設けられる）ものとしたが、本発明に係る第一の磁石が設けられる個数は、これに限定されるものでない。例えば、本発明に係る第一の磁石は、後側扉Ｄ４０の左端部及び右端部に一つずつ設けられるものであっても良い。また、本発明に係る第一の磁石は、後側扉Ｄ４０の左端部及び右端部に上下方向に間隔を空けて三つ以上設けられるものであっても良い。これは、第二の磁石、第三の磁石及び第四の磁石に関しても同様である。
【００８８】
また、本実施形態に係る第一の磁石１１は、略直方体状に形成されるものとしたが、本実施形態に係る第一の磁石の形状はこれに限定されるものでない。これは、第二の磁石、第三の磁石及び第四の磁石に関しても同様である。
【００８９】
また、本実施形態に係る第一の磁石１１は、後側扉Ｄ４０の後面Ｄ４１に取り付けられるものとしたが、本発明に係る第一の磁石は、後側扉Ｄ４０扉の内側に取り付けられる（内蔵される）ものであっても良い、これは、本発明に係る第二の磁石、第三の磁石及び第四の磁石においても同様である。
【００９０】
また、本発明に係る第一の磁石が取り付けられる部材は、本実施形態のような後側扉Ｄ４０に限定されるものでない。例えば、本発明に係る第一の磁石は、図９（ａ）に示す第一変形例に係る第一の磁石１１１のように、前側扉Ｄ５０に取り付けられるものであっても良い。
また、本発明に係る第二の磁石が取り付けられる部材は、本実施形態のような前側扉Ｄ５０に限定されるものでない。例えば、本発明に係る第二の磁石は、図９（ａ）に示す第一変形例に係る第二の磁石１１２のように、後側扉Ｄ４０に取り付けられるものであっても良い。
【００９１】
また、本発明に係る第三の磁石は、図９（ｂ）に示す第二変形例に係る第三の磁石２１３のように、前側扉Ｄ５０の左端部及び右端部にそれぞれ取り付けられるものであっても良い。
また、本発明に係る第四の磁石は、図９（ｂ）に示す第二変形例に係る第四の磁石２１４のように袖壁Ｄ１０の左端部だけに取り付けられる（平面視で第三の磁石２１３の間に配置される）ものであっても良い。
【００９２】
また、本実施形態に係る第四の磁石１４は、袖壁Ｄ１０に取り付けられるものとしたが、本発明に係る第四の磁石が取り付けられる部材はこれに限定されるものでなく、右壁部Ｗ１等であっても良い。
【００９３】
また、本発明に係る第三の磁石が取り付けられる部材は、本実施形態のような前側扉Ｄ５０に限定されるものでなく、後側扉Ｄ４０に取り付けられるものであっても良い。この場合、本発明に係る第四の磁石は、縦枠Ｄ２０及び右壁部Ｗ１に取り付けられていても良い。
【００９４】
また、本実施形態に係る左側キャッチ１５は、突出部材１５ａと受け部材１５ｂとを係合させて全閉状態を保持するものとしたが、本発明に係る全閉保持部材の構成はこれに限定されるものでない。例えば、本発明に係る全閉保持部材は、異なる磁極が左右方向に対向する磁石同士を吸着させて全閉状態を保持するような構成であっても良い。これは、本発明に係る全開保持部材においても同様である。
【符号の説明】
【００９５】
１０    開閉機構
１１    第一の磁石
１２    第二の磁石
１３    第三の磁石
１４    第四の磁石
Ｄ４０  後側扉（第一の扉、第三の扉）
Ｄ５０  前側扉（第二の扉）
【図１】
2016216996.tif 000003
【図２】
2016216996.tif 000004
【図３】
2016216996.tif 000005
【図４】
2016216996.tif 000006
【図５】
2016216996.tif 000007
【図６】
2016216996.tif 000008
【図７】
2016216996.tif 000009
【図８】
2016216996.tif 000010
【図９】
2016216996.tif 000011